(57)【要約】【課題】  本発明は、撮像レンズシステムにおいて小型化が困難で、画質が影響される課題を解決するために、小型化また良好な画質が実現できる撮像レンズシステムを提供する。【解決手段】  本発明にかかる撮像レンズシステムは、物体側から像側に順序に開口絞り、両凸第一レンズ、凹面が物体側に設けられたメニスカス第二レンズを含み、前記第一レンズ及び第二レンズがそれぞれ少なくとも一つの非球面を有し、条件式（１）１＜Ｔ／ｆ＜１．６２;及び（２）０．５＜ｆ１／ｆ＜０．９を満足する。ここで、Ｔは開口絞りから画像への距離、ｆは撮像レンズの焦点距離、ｆ１は第一レンズの焦点距離と定義される。【選択図】  図１
2005326816.tif 000002
【特許請求の範囲】
【請求項１】
物体側から画像に向かって順に、
開口絞り、
両凸第一レンズ、
物体側に向かって凹面が湾曲形成されたメニスカス第二レンズ、を含み、
前記第一レンズと前記第二レンズは、少なくとも一方の表面が非球面であり、また、条件式
（１）１＜Ｔ／ｆ＜１．６２;及び
（２）０．５＜ｆ１／ｆ＜０．９
を満足し、
Ｔは開口絞りから画像までの距離、ｆは撮像レンズの焦点距離、ｆ１は第一レンズの焦点距離と定義されることを特徴とする撮像レンズシステム。
【請求項２】
前記第一レンズの両面が非球面であり、条件式
（３）０．２＜Ｒ２／Ｒ１＜１；及び
（４）１．２＜ｄ／Ｒ２＜２．１
を満足し、
ここで、Ｒ１は物体側に近い第一レンズの表面の曲率半径の絶対値、Ｒ２は像側に近い第一レンズの表面の曲率半径の絶対値、ｄは第一レンズの厚さと定義されることを特徴とする請求項１記載の撮像レンズシステム。
【請求項３】
前記第二レンズの両面が非球面であり、条件式
（５）０．５＜（１／Ｒ３）／（１／Ｒ１＋１／Ｒ２＋１／Ｒ４）＜１
を満足し、
ここで、Ｒ３は物体側に近い第二レンズの表面の曲率半径の絶対値、Ｒ４は像側に近い第二レンズの表面の曲率半径の絶対値と定義されることを特徴とする請求項１記載の撮像レンズシステム。
【請求項４】
前記第一レンズと第二レンズは条件式
（６）ν１−ν２＞２０
を満足し、
ここで、ν１は第一レンズのアッベ数、ν２は第二レンズのアッベ数であることを特徴とする請求項１記載の撮像レンズシステム。
【請求項５】
前記第一レンズと第二レンズがプラスチックで製造されることを特徴とする請求項１記載の撮像レンズシステム。
【請求項６】
プラスチックの成分はポリメタクリル酸メチル（ＰＭＭＡ）、ポリカーボネイト（ＰＣ）、環状オリンフィンコポリマーを含むことを特徴とする請求項５記載の撮像レンズシステム。
【請求項７】
物体側から画像に向かって順に、
開口絞り、
両凸第一レンズ、
物体側に向かって凹面が湾曲形成されたメニスカス第二レンズ、を含み、
前記第一レンズと前記第二レンズにおいて少なくとも一方の表面が非球面であり、そして、条件式
（１）０．５＜ｆ１／ｆ＜０．９;及び
（２）０．２＜Ｒ２／Ｒ１＜１
を満足し、
ｆは撮像レンズの焦点距離、ｆ１は第一レンズの焦点距離、Ｒ１は物体側に近い第一レンズの表面の曲率半径の絶対値、Ｒ２は像側に近い第一レンズの表面の曲率半径の絶対値と定義されることを特徴とする撮像レンズシステム。
【請求項８】
前記システムは条件式
（３）１＜Ｔ／ｆ＜１．６２
を満足し、
Ｔは開口絞りから画像までの距離と定義されることを特徴とする請求項７記載の撮像レンズシステム。
【請求項９】
前記システムは条件式
（４）１．２＜ｄ／Ｒ２＜２．１
を満足し、
ｄは第一レンズの厚さと定義されることを特徴とする請求項７記載の撮像レンズシステム。
【請求項１０】
前記第一レンズと第二レンズの両面が非球面であり、そして条件式
（５）０．５＜（１／Ｒ３）／（１／Ｒ１＋１／Ｒ２＋１／Ｒ４）＜１
を満足し、
ここで、Ｒ３は物体側に近い第二レンズの表面の曲率半径の絶対値、Ｒ４は像側に近い第二レンズの表面の曲率半径の絶対値と定義されることを特徴とする請求項7記載の撮像レンズシステム。
【請求項１１】
前記第一レンズと第二レンズは条件式
（６）ν１−ν２＞２０
を満足し、
ここで、ν１は第一レンズのアッベ数、ν２は第二レンズのアッベ数であることを特徴とする請求項7記載の撮像レンズシステム。
【発明の詳細な説明】
【技術分野】
【０００１】
本発明は、小型撮像レンズシステムに関し、特に携帯電話、ＰＣカメラ等の小型撮像素子のレンズシステムに関する。
【背景技術】
【０００２】
近年、メディアの発展に伴って、携帯コンピュータとビジュアル電話と携帯電話などに搭載される、ＣＣＤ（Charged Coupled Device）又はＣＭＯＳ（Complementary Metal Oxide Semiconductor）等の固体画像処理ユニットを利用した撮像素子に対する要望が多くなってきている。また、この需要の増加に対して、レンズシステムにはより一層の小型化が求められている。
【０００３】
一方、これら固体画像処理ユニット、例えばＣＣＤ又はＣＭＯＳの生産技術が進歩して、各画素が数ミクロンになる画素処理ユニットが生産されるため、システムの小型化につれて撮像レンズの解像度に対する要求が高くなってきている。こうした理由から、現在、小型撮像素子の小型化の発展に伴う、低コスト、良好な光学性能、優れた画質のレンズシステムの開発が行なわれている。
【０００４】
なお、ここでいうレンズシステムの小型化とは、レンズの第一面から結像面への距離（画像処理システムの総長）が短いとことを意味する。
【０００５】
また、低コストとは、システムに含まれるレンズの数が少なく、且つレンズ本体がバッチ加工及び組付けがし易いことを意味する。
【０００６】
レンズシステムの性能及び画質が優れているとは、以下のものに該当する場合である。
１．明るさ（小さなＦ数、一般的には２．８以下）
２．大きな画角（半画角が３０度以上）
３．均一な像面照度（ケラレが少ない／撮像素子への入射角度が小さい）
４．高解像度（各種の単色収差が適切に補正され、色収差が少ない）
【０００７】
低コストのためには、プラスチックレンズを一枚だけ用いることが好ましい。しかし、単レンズは両面で非球面にしても、良好な画質及び光特性（例えば、画角は７０度）が得られないので、大抵、低解像度の製品（例えば、１１万画素ＣＭＯＳ）に利用される。一方、単レンズは、収差を補正するために、厚いものを利用し、全長と焦点距離の比（Ｌ／ｆ）が２程度であることが多いので、システムのサイズを小さくすることができない。代表的な設計構成は、特許文献１及び特許文献２のように、長さと焦点距離の比が２である光学特性を有し、主に１１画素のＣＭＯＳに利用されているが、３０万画素のような高解像度のＶＧＡに対して、光学特性や携帯利便性の要求を満たすことはできない。
【０００８】
特許文献３には、画質を高めるため、携帯電話及び撮像レンズのレンズシステムとして、レンズが三枚の構成が開示されている。しかし、上記文献に記載されたレンズシステムの長さと焦点距離の比は２であるので、結局、システムの小型化が実現できないし、レンズ数の増加が原因となって、システムのコスト増加につながる。
【０００９】
以上述べてきたことを背景として、コスト及び像質を考慮したものが二枚レンズの構成を利用する設計である。二枚レンズの構成によれば、自由度の高い設計が可能となり、単レンズの構成に比べて画質が優れ、三枚レンズに比べてコストが低く、システムのサイズも小さくなる。
【００１０】
従来の二枚レンズ構成はレトロフォーカスタイプのものが多く、特許文献４のように、レンズシステムが、物体側から像側に向かって順番に負の屈折力のメニスカスレンズ、開口絞り、正の屈折力のメニスカスレンズを備えている。前記構成は広角収差（wide angle aberration）に有利に作用するが、シャッターを配置するための最後のレンズと画像（像面）との距離が比較的長くなるので、システムの長さを小さくしにくく、小型化が困難になる。
【００１１】
前記課題を解決するため、特許文献５には、特許文献５の図３０に示すように、物体側から結像面側に向かって順に、開口絞り１、両凸正レンズ２、凹面が物側に設けられたメニスカスレンズ３を含む撮像レンズシステムが記載されている。これらのレンズのそれぞれは、少なくとも一つの非球面を有し、また、ｆがシステム焦点距離、ｆ１が前記正レンズの焦点距離の長さ、Ｔが開口絞りから画像（像面）５への距離を表すとすると、前記システムが０．３＜ｆ１／ｆ＜０．９及びＴ／ｆ＜２．４という条件を満たさなければならない。
【００１２】
しかしながら、前記システムの全長と焦点距離の比が常に２ほどであり、また最小でも１．７であるので、小型化には限界がある。また、倍率色収差がエアリ（Airy）ディスク直径の一倍を超え、しかも軸上色収差が大きいので、システムの画質に影響が現れる。
【００１３】
前記を鑑みて、より改善された撮像レンズシステムが必要になる。
【特許文献１】米国特許第６,２９７,９１５号明細書
【特許文献２】ヨーロッパ特許出願公開第１２７１２１５号明細書
【特許文献３】米国特許第５,９４０,２１９号明細書
【特許文献４】米国特許第６,４４９,１０５号明細書
【特許文献５】米国特許出願公開第２００４／００３６９８３号明細書
【発明の開示】
【発明が解決しようとする課題】
【００１４】
本発明は、前記撮像レンズシステムにおいて、小型化が困難で画質が影響を受けるという問題を解決するために、小型化ないし良好な画質を実現できる撮像レンズシステムを提供することを目的とする。
【課題を解決するための手段】
【００１５】
本発明にかかる撮像レンズシステムは、物体側から像側に向かって順に開口絞り、両凸第一レンズ、凹面が物体側へ曲がるメニスカス第二レンズを含み、前記第一レンズ及び第二レンズが全て少なくとも一つの非球面を有し、条件式
（１）１＜Ｔ／ｆ＜１．６２;及び
（２）０．５＜ｆ１／ｆ＜０．９
を満足する。
ここで、Ｔは開口絞りから画像までの距離、ｆは撮像レンズの焦点距離、ｆ１は第一レンズの焦点距離と定義される。
【００１６】
単色収差と微小な高次収差を除去するために、前記撮像レンズシステムはさらに条件式
（３）０．２＜Ｒ２／Ｒ１＜１；及び
（４）１．２＜ｄ／Ｒ２＜２．１
を満足することによって改善される。
ここで、Ｒ１は物体側に近い第一レンズの表面の曲率半径の絶対値、Ｒ２は像側に近い第一レンズの表面の曲率半径の絶対値、ｄは第一レンズの厚さと定義される。
【００１７】
前記撮像レンズシステムは、像面湾曲を補正するために、さらに条件式
（５）０．５＜（１／Ｒ３）／（１／Ｒ１＋１／Ｒ２＋１／Ｒ４）＜１
を満足する。
ここで、Ｒ３は物体側に近い第二レンズの表面の曲率半径の絶対値、Ｒ４は像側に近い第一レンズの表面の曲率半径の絶対値である。
【００１８】
第一レンズと第二レンズは色収差、特に、倍率色収差を効率的に除去するために、条件式
（６）ν１−ν２＞２０
を満足する。
ここで、ν１は第一レンズのアッベ数、ν２は第二レンズのアッベ数である。
【発明の効果】
【００１９】
従来の技術と比べて、本発明による撮像レンズシステムは、効率的にシステムの球面収差とコマ収差を補正するために、開口絞りに隣接した第一レンズに少なくとも一つの非球面が用いられる。第二レンズは、開口絞りから遠く離れているので、第二レンズの位置では、異なる画角の異なる主光線が、対応するかなり異なった投影高さを持つことが有り得る。第二レンズの少なくとも一面を非球面化することにより、フィールドにおける収差（例えば、像面湾曲と歪曲収差）を効率的に補正することができる。そして、第二レンズの面は、系の光軸付近の第二レンズ中心部分から当該第二レンズ縁部に向かって次第に変化する屈折を有している。第二レンズの中心部分は光線を発散させるが、縁部は光線を集めるので、サジタル面／子午面部分が容易に一致させられ、サジタルと子午像面からの伝送方向は近接する。上述の全ての理由から、広角での光学像の質が高まる。なお、第一レンズと第二レンズは全てプラスチックで製造されるから、コストが低減され、量産を実現しやすい。
【発明を実施するための最良の形態】
【００２０】
本発明にかかる撮像レンズシステムの構成を示した図１を参照する。光は物体側から入射され、物体側に置く開口絞り１０と両凸第一レンズ２０とメニスカス第二レンズ３０を透過する。前記メニスカス第二レンズ３０は、物体側に湾曲した凹面を備える。また、該レンズ３０は、光を画像装置ＣＣＤ又はＣＭＯＳの画像面４０に集める。前記第一レンズ２０と第二レンズ３０は少なくとも一方の側の表面が非球面とされている。
【００２１】
まず、像面４０への主光線による入射角を小さくするように開口絞り１０がシステムの物体側に隣接させて配置される。なお、開口絞りがシステムの最前面に配置される設計はシステムの長さを小さくするために有利である。
【００２２】
システム全体の小型化と良好な画質を実現するために、前記システムの第一レンズ２０と第二レンズ３０は条件式
（１）１＜Ｔ／ｆ＜１．６２；及び
（２）０．５＜ｆ１／ｆ＜０．９
を満足する。
ここで、Ｔは開口絞りから像面までの距離、ｆは撮像レンズの焦点距離、ｆ１は第一レンズの焦点距離と定義される。条件式（１）はシステムの全長を制限、条件式（２）は単色収差を除去して全長の要求（条件式（１）による屈折力の配分）を満足するためのものである。ｆ１／ｆの値は最小値である０．５以上であれば、システムが全屈折力に関する要求を満足するので、高次の球面収差、コマ収差と倍率色収差が所定範囲に制御される。一方、ｆ１／ｆの値は最大値である０．９以下であれば、システムの全屈折力を確保したり、システムの全長を小さくすることができる。
【００２３】
第一レンズ２０はさらに条件式
（３）０．２＜Ｒ２／Ｒ１＜１；及び
（４）１．２＜ｄ／Ｒ２＜２．１
を満足することが好ましい。
ここで、Ｒ１は物体側に近い第一レンズ２０の表面（第一表面、図示せず）の曲率半径の絶対値、Ｒ２は像側４０に近い第一レンズ２０の表面（第二表面、図示せず）の曲率半径の絶対値、ｄは第一レンズ２０の厚さと定義される。条件式（３）は、単色収差を除去するために求めれた第一レンズ２０の屈折力の配分（distribution）を示すが、条件式（４）は高次収差を少なくするために第一レンズ２０における第二表面への入射角を小さくすることをしめす。
【００２４】
第一レンズ２０と第二レンズ３０はさらに条件式
（５）０．５＜（１／Ｒ３）／（１／Ｒ１＋１／Ｒ２＋１／Ｒ４）＜１
を満足することがより好ましい。
ここで、Ｒ３は物体側に近い第二レンズ３０の凹面（第三表面、図示せず）の曲率半径の絶対値、Ｒ４は像側に近い第二レンズ３０の表面（第四表面、図示せず）の曲率半径の絶対値と定義される。条件式（５）は像面湾曲を補正するために求められたフラットフィールドのための条件を示す。（１／Ｒ３）／（１／Ｒ１＋１／Ｒ２＋１／Ｒ４）の値が最大値である１より小さければ、第二レンズ３０の第三表面の負屈折力が適切に第一レンズ２０による正コマ収差を補正し、同時に、Ｒ３が小さすぎないので、システムの高次収差を小さくすることができる。また、（１／Ｒ３）／（１／Ｒ１＋１／Ｒ２＋１／Ｒ４）の値が最小値である０．５より大きければ、前記第二レンズ３０の第三表面による負ペッツヴァル像面湾曲和が、第一レンズ２０の第一表面ならびに第二表面の両方の表面と、第二レンズ３０の第四表面とによる正ペッツヴァル像面湾曲和を補償することができるため、像面湾曲の補正が容易になる。また、条件式（５）を満足する場合、第二レンズ３０の凹面による負屈折力により、効率的に第一レンズ２０による倍率色収差が補正できる。Ｒ３はシステムにおける最小曲率半径の湾曲面であり、システムが像面湾曲を補正すると共に高次収差を制限するために、曲率半径の小さい面と開口絞りとを同心配置するよう、第二レンズ３０は開口絞り側に凹に曲がっていなければならない。
【００２５】
色収差、特に、倍率色収差を効率的に除去するために、第一レンズ２０に使用される材料のアッベ数ν１と第二レンズ３０に使用される材料のアッベ数ν２は条件式
（６）ν１−ν２＞２０
を満足する。
【００２６】
コストを低減するために、本発明にかかる撮像レンズシステムは、第一レンズ２０の第一表面をそのまま開口絞り１０として利用するなどして、開口絞り１０が第一レンズ２０の第一表面に直に設けられる。実際に制御する時、第一レンズ２０の第一表面における遮光部分を黒くして、開口絞りとして利用する。
【００２７】
本発明における撮像レンズシステムの第一レンズ２０と第二レンズ３０はプラスチックから製造されるので、コストが低くなり、量産が容易に実現される。
【００２８】
次に、図２乃至図２９を参照して、実施例を用いて本発明にかかる撮像レンズシステムを説明する。
【００２９】
次の各実施例において、第一レンズ２０の第一表面と第二表面、第二レンズ３０の第三表面と第四表面は、それぞれ非球面を利用する。非球面形状の計算式は以下のようにする。
【００３０】
【数１】
2005326816.tif 000003
【００３１】
ここで、
【００３２】
【数２】
2005326816.tif 000004
【００３３】
は光軸から測ったレンズ表面上の各点までの高さ位置、ｋは円すい曲線係数、Ａiは第ｉ階の非球面形状の係数である。
Ｔ：開口絞りから結像面までの距離；
ｆ：撮像レンズの焦点距離；
ＦＮｏ：Ｆ数；
ω：半画角；
２ω：画角；
Ｒ：系の光学素子上の表面の曲率半径；
Ｄ：系の光学素子上の表面から光軸までの距離；
Ｎｄ：屈折率；
ν：アッベ数。
【００３４】
〔実施例１〕
前記撮像レンズシステムは表１と表２の条件を満足する。
【００３５】
【表１】
2005326816.tif 000005
【００３６】
【表２】
2005326816.tif 000006
【００３７】
図２乃至図５は、この実施例１にかかる撮像レンズシステムにおける横方向のレイ・ファン・プロット（transverse ray fan plots）（本明細書中、横収差図とも言う）、像面湾曲図又は歪曲収差図、縦の球面収差図、倍率色収差図である。ここで、図２（Ａ）、図２（Ｂ）、図２（Ｃ）及び図２（Ｄ）はそれぞれ画角が０°、１５°、２５°、３５°での子午面とサジタル面における横収差図であるが、図３（Ａ）と図３（Ｂ）はそれぞれ像面湾曲曲線及び歪曲収差曲線を示す。これらの図に示されるように、前記横収差、像面湾曲、歪曲収差、色収差は良好に補正することができる。
【００３８】
〔実施例２〕
前記撮像レンズシステムは表３及び表４の条件を満足する。
【００３９】
【表３】
2005326816.tif 000007
【００４０】
【表４】
2005326816.tif 000008
【００４１】
図６乃至図９は、この実施例２にかかる撮像レンズシステムにおける横収差図、像面湾曲図又は歪曲収差図、縦の球面収差図、倍率色収差図である。ここで、図６（Ａ）、図６（Ｂ）、図６（Ｃ）及び図６（Ｄ）はそれぞれ画角が０°、１５°、２５°、３５°での子午面とサジタル面における横収差図であるが、図７（Ａ）と図７（Ｂ）はそれぞれ像面湾曲曲線及び歪曲収差曲線を示す。これらの図に示されているように、前記横収差、像面湾曲、歪曲収差、色収差は良好に補正することができる。
【００４２】
〔実施例３〕
前記撮像レンズシステムは表５及び表６の条件を満足する。
【００４３】
【表５】
2005326816.tif 000009
【００４４】
【表６】
2005326816.tif 000010
【００４５】
図１０乃至図１３は、この実施例３にかかる撮像レンズシステムにおける横収差図、像面湾曲図又は歪曲収差図、縦の球面収差図、倍率色収差図である。ここで、図１０（Ａ）、図１０（Ｂ）、図１０（Ｃ）及び図１０（Ｄ）はそれぞれ画角が０°、１５°、２５°、３５°での子午面とサジタル面における横収差図であるが、図１１（Ａ）と図１１（Ｂ）はそれぞれ像面湾曲曲線及び歪曲収差曲線を示す。これらの図に示されるように、前記横収差、像面湾曲、歪曲収差、色収差は良好に補正することができる。
【００４６】
〔実施例４〕
前記撮像レンズシステムは表７及び表８の条件を満足する。
【００４７】
【表７】
2005326816.tif 000011
【００４８】
【表８】
2005326816.tif 000012
【００４９】
図１４乃至図１７は、この実施例４にかかる撮像レンズシステムにおける横収差図、像面湾曲図又は歪曲収差図、縦の球面収差図、倍率色収差図である。ここで、図１４（Ａ）、図１４（Ｂ）、図１４（Ｃ）及び図１４（Ｄ）はそれぞれ画角が０°、１５°、２５°、３５°での子午面とサジタル面における横収差図であるが、図１５（Ａ）と図１５（Ｂ）はそれぞれ像面湾曲曲線及び歪曲収差曲線を示す。これらの図に示されるように、前記横収差、像面湾曲、歪曲収差、色収差は良好に補正することができる。
【００５０】
〔実施例５〕
前記撮像レンズシステムは表９及び表１０の条件を満足する。
【００５１】
【表９】
2005326816.tif 000013
【００５２】
【表１０】
2005326816.tif 000014
【００５３】
図１８乃至図２１は、この実施例５にかかる撮像レンズシステムにおける横収差図、像面湾曲図又は歪曲収差図、縦の球面収差図、倍率色収差図である。ここで、図１８（Ａ）、図１８（Ｂ）、図１８（Ｃ）及び図１８（Ｄ）はそれぞれ画角が０°、１５°、２５°、３５°での子午面とサジタル面における横収差図であるが、図１９（Ａ）と図１９（Ｂ）はそれぞれ像面湾曲曲線及び歪曲収差曲線を示す。これらの図に示されるように、前記横収差、像面湾曲、歪曲収差、色収差は良好に補正することができる。
【００５４】
〔実施例６〕
前記撮像レンズシステムは表１１及び表１２の条件を満足する。
【００５５】
【表１１】
2005326816.tif 000015
【００５６】
【表１２】
2005326816.tif 000016
【００５７】
図２２乃至図２５は、この実施例６にかかる撮像レンズシステムにおける横収差図、像面湾曲図又は歪曲収差図、縦の球面収差図、倍率色収差図である。ここで、図２２（Ａ）、図２２（Ｂ）、図２２（Ｃ）及び図２２（Ｄ）はそれぞれ画角が０°、１５°、２５°、３５°での子午面とサジタル面における横収差図であるが、図２３（Ａ）と図２３（Ｂ）はそれぞれ像面湾曲曲線及び歪曲収差曲線を示す。これらの図に示すように、前記横収差、像面湾曲、歪曲収差、色収差は良好に補正することができる。
【００５８】
〔実施例７〕
前記撮像レンズシステムは表１３及び表１４の条件を満足する。
【００５９】
【表１３】
2005326816.tif 000017
【００６０】
【表１４】
2005326816.tif 000018
【００６１】
図２６乃至図２９は、この実施例７にかかる撮像レンズシステムにおける横収差図、像面湾曲図又は歪曲収差図、縦の球面収差図、倍率色収差図である。ここで、図２６（Ａ）、図２６（Ｂ）、図２６（Ｃ）及び図２６（Ｄ）はそれぞれ画角が０°、１５°、２５°、３５°での子午面とサジタル面における横収差図であるが、図２７（Ａ）と図２７（Ｂ）はそれぞれ像面湾曲曲線及び歪曲収差曲線を示す。これらの図に示されるように、前記横収差、像面湾曲、歪曲収差、色収差は良好に補正することができる。
【００６２】
表１５はこれら七つの実施例及びそれに対応する光特性（穴径、画角、焦点距離及び前記条件式に対応する値を含み）を示す。
【００６３】
ここで、実施例１乃至実施例５において、第一レンズ２０と第二レンズ３０の材料はそれぞれポリメタクリル酸メチル（ＰＭＭＡ）とポリカーボネイト（ＰＣ）であるが、実施例６と実施例７において、第一レンズ２０と第二レンズ３０の材料はそれぞれ環状オリンフィンコポリマー(Cyclo-olefin Polymers) とポリカーボネイト（ＰＣ）である。
【００６４】
【表１５】
2005326816.tif 000019
【００６５】
以上見てきたように、本発明にかかる撮像レンズシステムは、２枚レンズの構成として、物体側から画像に向かって開口絞り、両凸第一レンズ、凹面が物体側の方に向いているメニスカス第二レンズを含み、第一レンズと第二レンズは、いずれも、少なくとも一つの表面が非球面であり、そして、所定の条件式を満足するときに、効率的に２枚型のレンズシステムの全長が小さくなる。また、前記システムは視界角が大きい（画角が６０°以上である）場合、歪曲収差が２％以内となり、各種の収差、色収差を効率的に補正するので、広角での画質を高め、安いコストで量産することが可能となる。
【図面の簡単な説明】
【００６６】
【図１】本発明にかかる撮像レンズシステムの構成を示す模式図である。
【図２】本発明にかかる撮像レンズシステムの実施例１にかかる撮像レンズシステムにおける横収差図である。
【図３】本発明にかかる撮像レンズシステムの実施例１にかかる撮像レンズシステムにおける像面湾曲図、歪曲収差図である。
【図４】本発明にかかる撮像レンズシステムの実施例１にかかる撮像レンズシステムにおける縦の球面収差図である。
【図５】本発明にかかる撮像レンズシステムの実施例１にかかる撮像レンズシステムにおける倍率色収差図である。
【図６】本発明にかかる撮像レンズシステムの実施例２にかかる撮像レンズシステムにおける横収差図である。
【図７】本発明にかかる撮像レンズシステムの実施例２にかかる撮像レンズシステムにおける像面湾曲図、歪曲収差図である。
【図８】本発明にかかる撮像レンズシステムの実施例２にかかる撮像レンズシステムにおける縦の球面収差図である。
【図９】本発明にかかる撮像レンズシステムの実施例２にかかる撮像レンズシステムにおける倍率色収差図である。
【図１０】本発明にかかる撮像レンズシステムの実施例３にかかる撮像レンズシステムにおける横収差図である。
【図１１】本発明にかかる撮像レンズシステムの実施例３にかかる撮像レンズシステムにおける像面湾曲図、歪曲収差図である。
【図１２】本発明にかかる撮像レンズシステムの実施例３にかかる撮像レンズシステムにおける縦の球面収差図である。
【図１３】本発明にかかる撮像レンズシステムの実施例３にかかる撮像レンズシステムにおける倍率色収差図である。
【図１４】本発明にかかる撮像レンズシステムの実施例４にかかる撮像レンズシステムにおける横収差図である。
【図１５】本発明にかかる撮像レンズシステムの実施例４にかかる撮像レンズシステムにおける像面湾曲図、歪曲収差図である。
【図１６】本発明にかかる撮像レンズシステムの実施例４にかかる撮像レンズシステムにおける球面収差図である。
【図１７】本発明にかかる撮像レンズシステムの実施例４にかかる撮像レンズシステムにおける倍率色収差図である。
【図１８】本発明にかかる撮像レンズシステムの実施例５にかかる撮像レンズシステムにおける横収差図である。
【図１９】本発明にかかる撮像レンズシステムの実施例５にかかる撮像レンズシステムにおける像面湾曲図、歪曲収差図である。
【図２０】本発明にかかる撮像レンズシステムの実施例５にかかる撮像レンズシステムにおける縦の球面収差図である。
【図２１】本発明にかかる撮像レンズシステムの実施例５にかかる撮像レンズシステムにおける倍率色収差図である。
【図２２】本発明にかかる撮像レンズシステムの実施例６にかかる撮像レンズシステムにおける横収差図である。
【図２３】本発明にかかる撮像レンズシステムの実施例６にかかる撮像レンズシステムにおける像面湾曲図、歪曲収差図である。
【図２４】本発明にかかる撮像レンズシステムの実施例６にかかる撮像レンズシステムにおける縦の球面収差図である。
【図２５】本発明にかかる撮像レンズシステムの実施例６にかかる撮像レンズシステムにおける倍率色収差図である。
【図２６】本発明にかかる撮像レンズシステムの実施例７にかかる撮像レンズシステムにおける横収差図である。
【図２７】本発明にかかる撮像レンズシステムの実施例７にかかる撮像レンズシステムにおける像面湾曲図、歪曲収差図である。
【図２８】本発明にかかる撮像レンズシステムの実施例７にかかる撮像レンズシステムにおける縦の球面収差図である。
【図２９】本発明にかかる撮像レンズシステムの実施例７にかかる撮像レンズシステムにおける倍率色収差図である。
【図３０】米国特許出願公開第２００４／００３６９８３号明細書に記載の撮像レンズシステムの構成を示す図である。
【符号の説明】
【００６７】
１０    開口絞り
２０    第一レンズ
３０    第二レンズ
４０    画像
【図１】
2005326816.tif 000020
【図２】
2005326816.tif 000021
【図３】
2005326816.tif 000022
【図４】
2005326816.tif 000023
【図５】
2005326816.tif 000024
【図６】
2005326816.tif 000025
【図７】
2005326816.tif 000026
【図８】
2005326816.tif 000027
【図９】
2005326816.tif 000028
【図１０】
2005326816.tif 000029
【図１１】
2005326816.tif 000030
【図１２】
2005326816.tif 000031
【図１３】
2005326816.tif 000032
【図１４】
2005326816.tif 000033
【図１５】
2005326816.tif 000034
【図１６】
2005326816.tif 000035
【図１７】
2005326816.tif 000036
【図１８】
2005326816.tif 000037
【図１９】
2005326816.tif 000038
【図２０】
2005326816.tif 000039
【図２１】
2005326816.tif 000040
【図２２】
2005326816.tif 000041
【図２３】
2005326816.tif 000042
【図２４】
2005326816.tif 000043
【図２５】
2005326816.tif 000044
【図２６】
2005326816.tif 000045
【図２７】
2005326816.tif 000046
【図２８】
2005326816.tif 000047
【図２９】
2005326816.tif 000048
【図３０】
2005326816.tif 000049